(57)【要約】【課題】端子保持部の先端の位置精度を向上させることができるモータを提供する。【解決手段】モータは、給電ブラシを保持するブラシホルダ３１と、ブラシホルダ３１と隣接して配置されるハウジングを貫通し給電ブラシに給電するための給電ターミナル５１と、ブラシホルダ３１から突出しその突出方向Ｄ１に給電ターミナル５１が貫通した端子保持部６１とを備えている。ブラシホルダ３１は、ブラシホルダ３１とは別体で形成された端子保持部６１の基端部が固定される固定孔３４を有する。【選択図】図７
2015027206.tif 000002
【特許請求の範囲】
【請求項１】
給電ブラシを保持するブラシホルダと、
前記ブラシホルダと隣接して配置されるハウジングを貫通し前記給電ブラシに給電するための給電ターミナルと、
前記ブラシホルダから突出しその突出方向に前記給電ターミナルが貫通した端子保持部と
を備えたモータであって、
前記ブラシホルダは、前記ブラシホルダとは別体で形成された前記端子保持部の基端部が固定される固定部を有することを特徴とするモータ。
【請求項２】
請求項１に記載のモータにおいて、
前記固定部は、前記ブラシホルダからの前記端子保持部の突出方向に前記ブラシホルダを貫通した固定孔であり、
前記給電ターミナルは、前記固定孔を通って前記ブラシホルダを貫通しており、前記ハウジングと反対側から前記ブラシホルダに当接する当接部と、前記ブラシホルダに対して前記当接部が設けられた側と反対側に位置するターミナル側係合部とを有し、
前記端子保持部は、その基端部が前記固定孔に挿入され、前記給電ターミナルが貫通する貫通孔と、前記貫通孔に設けられ前記ターミナル側係合部が前記ブラシホルダからの前記端子保持部の突出方向に係合する保持部側係合部とを有することを特徴とするモータ。
【請求項３】
請求項２に記載のモータにおいて、
前記当接部と前記端子保持部とが、前記ブラシホルダにおける前記固定孔の外周を挟持していることを特徴とするモータ。
【請求項４】
請求項２又は請求項３に記載のモータにおいて、
前記ターミナル側係合部は、前記保持部側係合部にスナップフィット係合することを特徴とするモータ。
【発明の詳細な説明】
【技術分野】
【０００１】
本発明はモータに関するものである。
【背景技術】
【０００２】
例えば特許文献１に記載されているように、モータには、電機子を収容する有底筒状のヨークハウジングの開口部に、前記電機子に給電するための給電ブラシを保持した絶縁性の樹脂材料からなるブラシホルダが装着されたものがある。そして、特許文献１に記載されたモータのヨークハウジングの開口部には、該モータによって駆動される装置のハウジングがブラシホルダと隣り合うように装着されている。また、同モータにおいては、給電ブラシに給電するための給電ターミナルは、モータの軸方向に沿ってハウジングを貫通するとともに、その一端部がヨークハウジングの内部で給電ブラシに電気的に接続されている。更に、ブラシホルダには、ハウジングの内部で給電ターミナルを保持する絶縁性の樹脂材料からなる端子保持部が一体成形されている。端子保持部は、モータの軸方向に沿ってブラシホルダからヨークハウジングの外側に突出しており、柱状をなしている。そして、給電ターミナルはこの端子保持部を該端子保持部の長手方向に貫通している。
【先行技術文献】
【特許文献】
【０００３】
【特許文献１】特開２００６−２８０１８３号公報
【発明の概要】
【発明が解決しようとする課題】
【０００４】
上記のようなモータにおいては、給電ターミナルは、ハウジングを貫通するために長さが長くなる。そして、端子保持部は、長さの長いこの給電ターミナルを保持するためにブラシホルダからの突出量が多くなる。従って、ブラシホルダに端子保持部を一体成形すると、端子保持部がブラシホルダから部分的に長く突出した形状であるために、当該端子保持部が傾倒しやすくなってしまう。その結果、端子保持部の先端の位置精度が悪くなったり、歩留まりが低くなったりするという問題があった。
【０００５】
本発明は、上記課題を解決するためになされたものであって、その目的は、端子保持部の先端の位置精度を向上させることができるモータを提供することにある。
【課題を解決するための手段】
【０００６】
上記課題を解決するモータは、給電ブラシを保持するブラシホルダと、前記ブラシホルダと隣接して配置されるハウジングを貫通し前記給電ブラシに給電するための給電ターミナルと、前記ブラシホルダから突出しその突出方向に前記給電ターミナルが貫通した端子保持部とを備えたモータであって、前記ブラシホルダは、前記ブラシホルダとは別体で形成された前記端子保持部の基端部が固定される固定部を有する。
【０００７】
この構成によれば、端子保持部はブラシホルダと別体で形成されている。そして、端子保持部は、その基端部を固定部に固定することによりブラシホルダに一体化される。従って、ブラシホルダから部分的に長く突出した形状となる端子保持部がブラシホルダに一体成形されないため、ブラシホルダに対して端子保持部が傾倒した状態で形成されることが抑制される。その結果、ブラシホルダに固定された端子保持部の先端の位置精度を向上させることができる。また、ブラシホルダ及び端子保持部の歩留まりが低くなることを抑制できる。
【０００８】
上記モータにおいて、前記固定部は、前記ブラシホルダからの前記端子保持部の突出方向に前記ブラシホルダを貫通した固定孔であり、前記給電ターミナルは、前記固定孔を通って前記ブラシホルダを貫通しており、前記ハウジングと反対側から前記ブラシホルダに当接する当接部と、前記ブラシホルダに対して前記当接部が設けられた側と反対側に位置するターミナル側係合部とを有し、前記端子保持部は、その基端部が前記固定孔に挿入され、前記給電ターミナルが貫通する貫通孔と、前記貫通孔に設けられ前記ターミナル側係合部が前記ブラシホルダからの前記端子保持部の突出方向に係合する保持部側係合部とを有することが好ましい。
【０００９】
この構成によれば、ブラシホルダからの端子保持部の突出方向にターミナル側係合部が保持部側係合部に係合することにより、端子保持部と給電ターミナルとが、ブラシホルダからの端子保持部の突出方向に係合される。更に、端子保持部の貫通孔を貫通する給電ターミナルが有する当接部が、ポンプハウジングと反対側からブラシホルダに当接する。従って、当接部によって給電ターミナルのブラシホルダに対する傾倒が抑制されるため、当該給電ターミナルを保持した端子保持部のブラシホルダに対する傾倒も抑制される。よって、ブラシホルダに固定された端子保持部の先端の位置精度をより向上させることができる。
【００１０】
上記モータにおいて、前記当接部と前記端子保持部とが、前記ブラシホルダにおける前記固定孔の外周を挟持していることが好ましい。
この構成によれば、基端部が固定孔に挿入された端子保持部と、同端子保持部にて保持された給電ターミナルの当接部とが、ブラシホルダにおける固定孔の外周を挟持している。従って、端子保持部のブラシホルダに対する傾倒が更に抑制される。よって、ブラシホルダに固定された端子保持部の先端の位置精度を更に向上させることができる。
【００１１】
上記モータにおいて、前記ターミナル側係合部は、前記保持部側係合部にスナップフィット係合することが好ましい。
この構成によれば、ターミナル側係合部を保持部側係合部に容易に係合することができる。
【発明の効果】
【００１２】
本発明のモータによれば、端子保持部の先端の位置精度を向上させることができる。
【図面の簡単な説明】
【００１３】
【図１】（ａ）は一実施形態のモータの側面図、（ｂ）は一実施形態のモータの断面図（図１（ａ）における１−１断面図）。
【図２】一実施形態における基部の正面図。
【図３】（ａ）は一実施形態における給電ターミナルの側面図、（ｂ）は一実施形態における給電ターミナルの部分拡大図。
【図４】（ａ）は一実施形態における端子保持部の側面図、（ｂ）は一実施形態における端子保持部の側面図、（ｃ）は一実施形態における端子保持部の断面図、（ｄ）は一実施形態における端子保持部の部分拡大断面図。
【図５】一実施形態におけるブラシホルダ及び端子保持部の分解側面図。
【図６】一実施形態におけるブラシホルダ及び端子保持部の側面図。
【図７】（ａ）及び（ｂ）は一実施形態におけるブラシ装置の部分拡大断面図。
【発明を実施するための形態】
【００１４】
以下、モータの一実施形態について説明する。
図１（ａ）に示す本実施形態のモータ１０は、ポンプ装置の駆動源として用いられるものである。図１（ａ）及び図１（ｂ）に示すように、モータ１０は、略有底円筒状をなすヨークハウジング１１（以下ヨーク１１とする）と、ヨーク１１の内部に収容された電機子１２と、ヨーク１１の開口部に配置されたブラシ装置１３とを備えている。
【００１５】
ヨーク１１は、円筒状をなす円筒部１１ａと、該円筒部１１ａの軸方向の一端を閉塞する略円板状の底部１１ｂとを有する。このヨーク１１の開口部には、モータ１０にて駆動されるポンプＰのポンプハウジングＰａ（ハウジング）が装着されている。また、円筒部１１ａの内周面には複数の磁石１５が固着されている。そして、ヨーク１１の内部において、複数の磁石１５の内側に前記電機子１２が配置されている。電機子１２は、回転軸２１と、回転軸２１に一体回転可能に固定された電機子コア２２と、該電機子コア２２に巻装された巻線２３と、回転軸２１に一体回転可能に固定された整流子２４とから構成されている。
【００１６】
回転軸２１は、円柱状をなすとともに、ヨーク１１の内部において同ヨーク１１の径方向の中央部に配置されて同ヨーク１１の軸方向に延びている。この回転軸２１の基端部（図１（ａ）において右側の端部）は、底部１１ｂの径方向の中央部に設けられた軸受１６によって回転可能に支持されている。電機子１２は、この回転軸２１を回転中心として周方向に回転可能である。また、回転軸２１の先端部（図１（ａ）において左側の端部）は、ヨーク１１の開口部から同ヨーク１１の外部（即ちポンプハウジングＰａの内部）に突出している。そして、回転軸２１の先端部には、円柱状をなす偏心軸部２１ａが設けられている。この偏心軸部２１ａの中心軸線Ａ１は、回転軸２１におけるヨーク１１の内部に配置された基端側の部分の回転軸線Ａ２からずれた位置で同回転軸線Ａ２と平行に延びている。また、偏心軸部２１ａには、該偏心軸部２１ａを軸支する偏心軸受１７が外嵌されている。そして、偏心軸部２１ａ及び偏心軸受１７は、ポンプハウジングＰａの内部に配置されている。
【００１７】
前記電機子コア２２は、回転軸２１に外嵌固定されるとともに、同電機子コア２２の外周面はヨーク１１の内部で前記磁石１５と径方向に対向している。また、前記整流子２４は、電機子１２よりも回転軸２１の先端側となる部分に外嵌固定されるとともに、ヨーク１１の開口部付近で同ヨーク１１の内部に配置されている。そして、整流子２４には、巻線２３が電気的に接続されている。
【００１８】
前記ブラシ装置１３は、ブラシホルダ３１と、該ブラシホルダ３１にて保持される一対（２つ）の給電ブラシ４１と、一対の給電ブラシ４１に給電するための一対の給電ターミナル５１と、一対の給電ターミナル５１を保持する端子保持部６１とを備えている。
【００１９】
ブラシホルダ３１は、絶縁性の樹脂材料から形成されている。そして、ブラシホルダ３１は、円環状の板状をなす基部３２を有する。基部３２の外径は、ヨーク１１の開口部における内径と略等しく形成されている。そして、基部３２は、同基部３２の軸方向とヨーク１１の軸方向とが一致するようにヨーク１１の開口部に嵌め込まれている。ヨーク１１の開口部に嵌め込まれた基部３２は、モータ１０の軸方向にポンプハウジングＰａと隣接している。また、基部３２は、その径方向の中央部に、前記回転軸２１の先端側の部分を回転可能に支持する軸受１８を保持している。この軸受１８は、回転軸２１における前記偏心軸部２１ａよりも同回転軸２１の基端寄りの部分を回転可能に支持している。そして、偏心軸部２１ａは、基部３２よりもヨーク１１の外側に配置されている。
【００２０】
基部３２の内側面３２ａ（即ちヨーク１１の内部側の側面）には、同基部３２と共にブラシホルダ３１を構成する一対のブラシ保持部３３が固定されている。各ブラシ保持部３３は、基部３２の内側面３２ａにおいて周方向に間隔を空けた２箇所に固定されている。本実施形態では、２つのブラシ保持部３３は、基部３２の内側面３２ａにおいて周方向に１８０°間隔となる２箇所に固定されている。また、各ブラシ保持部３３は、基部３２の内側面３２ａ上で径方向に延びるとともに、径方向と直交する断面の形状が基部３２の内側面３２ａ側に開口する略コ字状をなしている。そして、各ブラシ保持部３３の内側には、四角柱状をなす給電ブラシ４１と、給電ブラシ４１の後端部（径方向外側の端部）を径方向内側に付勢する付勢部材４２とが挿入されている。各給電ブラシ４１は、ブラシ保持部３３によって周方向の移動が規制される一方、同ブラシ保持部３３によって径方向の移動が案内される。更に、各給電ブラシ４１は、ブラシ保持部３３と基部３２とによって軸方向の移動が規制される。また、各給電ブラシ４１の先端部（径方向内側の端部）は、ブラシ保持部３３の径方向内側の端部から径方向内側に突出するとともに、前記整流子２４の外周面に摺接可能に押圧接触している。
【００２１】
また、各給電ブラシ４１には、給電ブラシ４１に電力を供給するためのピッグテール４３が接続されている。ピッグテール４３は、可撓性を有する導線から形成されている。そして、ピッグテール４３の長手方向の一端部が、給電ブラシ４１の後端部寄りの部分に接続されている。
【００２２】
図１（ｂ）及び図２に示すように、基部３２には、固定部としての固定孔３４が形成されている。固定孔３４は、基部３２において、一対のブラシ保持部３３から等間隔（本実施形態では９０°間隔）となる１箇所に形成されている。そして、固定孔３４は、基部３２を基部３２の厚さ方向（ブラシホルダ３１からの端子保持部６１の突出方向Ｄ１（図１（ａ）参照）に同じであって、本実施形態ではモータ１０の軸方向に同じ）に貫通している。また、固定孔３４は、基部３２の厚さ方向から見た形状が円形状をなしている。更に、固定孔３４は、基部３２の厚さ方向に沿って直径が一定であるとともに、その内周面は円筒状をなしている。
【００２３】
図１（ｂ）に示すように、前記ピッグテール４３の長手方向の他端部には、それぞれ給電ターミナル５１が接続されている。各給電ターミナル５１は、導電性を有する金属板材にプレス加工を施して形成されており、略帯状をなしている。
【００２４】
図３（ａ）に示すように、各給電ターミナル５１は、該給電ターミナル５１の長手方向の一端部（図３（ａ）において右側の端部）に設けられる当接部５２と、該当接部５２から該給電ターミナル５１の長手方向の他端まで延びる給電部５３とを有する。当接部５２は長方形の板状をなしている。そして、この当接部５２の長手方向の一端部から給電部５３が延びている。給電部５３は、当接部５２に対して直角をなすように延びるとともに、帯状の板状をなしている。図１（ａ）に示すように、給電部５３は、ポンプハウジングＰａをモータ１０の軸方向に貫通すべくその長さがポンプハウジングＰａにおけるモータ１０の軸方向の長さよりも長く形成されている。
【００２５】
また、図３（ａ）及び図３（ｂ）に示すように、各給電ターミナル５１は、給電部５３における当接部５２側の長手方向の端部（即ち給電部５３の基端部）に、ターミナル側係合部５４を有する。ターミナル側係合部５４は、給電部５３における当接部５２側の長手方向の端部において、給電部５３の厚さ方向の一方側に突出した突起状をなしている。本実施形態では、ターミナル側係合部５４は、給電部５３に対して当接部５２が突出した方向と同方向（図３（ａ）において上側）に突出している。
【００２６】
図１（ａ）に示すように、一対の給電ターミナル５１は、ブラシホルダ３１の基部３２から突出する前記端子保持部６１にて保持されている。端子保持部６１は、モータ１０の軸方向に延びる円柱状をなしている。また、端子保持部６１の軸方向の長さは、ポンプハウジングＰａにおけるモータ１０の軸方向の長さ以上の長さである一方、給電ターミナル５１の給電部５３の長手方向の長さよりも短くなっている。そして、図５に示すように、端子保持部６１は、ブラシホルダ３１とは別体で形成されている。
【００２７】
図４（ａ）及び図４（ｂ）に示すように、端子保持部６１には、該端子保持部６１を長手方向（ブラシホルダ３１からの端子保持部６１の突出方向Ｄ１（図１（ａ）参照）に同じ）に貫通する一対の貫通孔６２が形成されている。一対の貫通孔６２は、端子保持部６１の直径方向に離間している。そして、各貫通孔６２における端子保持部６１の長手方向と直交する断面の形状は、前記給電部５３（図３（ａ）参照）の長手方向と直交する断面形状と略等しい長方形状をなしている。また、一対の貫通孔６２は、その断面形状における短手方向に離間するとともに、互いに平行をなすように端子保持部６１の長手方向に沿って延びている。
【００２８】
図４（ｃ）及び図４（ｄ）に示すように、各貫通孔６２には、貫通孔６２の幅を狭めるように該貫通孔６２の内周面から突出した保持部側係合部６３が設けられている。保持部側係合部６３は、各貫通孔６２における端子保持部６１の基端側の端部に設けられている。また、保持部側係合部６３における端子保持部６１の先端側の端面は、端子保持部６１の長手方向と直交する平面状をなす係合面６３ａとなっている。そして、図３（ａ）及び図４（ｄ）に示すように、各貫通孔６２において、保持部側係合部６３が形成された部分の幅Ｗ１は、ターミナル側係合部５４が形成されていない部分の給電部５３の厚さＴ１と等しくなっている。また、図３（ｂ）及び図４（ｃ）に示すように、各貫通孔６２において、保持部側係合部６３よりも端子保持部６１の先端側の部分の幅Ｗ２は、ターミナル側係合部５４を含めた給電部５３の厚さＴ２よりも若干広くなっている。更に、図３（ａ）及び図４（ｄ）に示すように、係合面６３ａから端子保持部６１の基端までの長さＬ１は、給電部５３におけるターミナル側係合部５４よりも当接部５２側の部分の長さＬ２と等しくなっている。尚、図４（ｂ）及び図４（ｃ）に示すように、一対の貫通孔６２は、これら貫通孔６２の間に設けられた連通孔６４によって連通されている。
【００２９】
図４（ａ）及び図４（ｂ）に示すように、端子保持部６１の基端部には、固定挿入部６５が設けられている。固定挿入部６５は、端子保持部６１の基端部の外径を一回り小さくした形状をなしている。そして、固定挿入部６５の外径は、基部３２に設けられた前記固定孔３４（図２参照）の内径と略等しく形成されている。また、端子保持部６１の基端部には、固定挿入部６５が設けられたことによる段差が形成されている。そして、端子保持部６１の基端部には、固定挿入部６５における端子保持部６１の先端側の端と同端子保持部６１の長手方向に隣り合う固定当接面６６が形成されている。固定当接面６６は、固定挿入部６５における端子保持部６１の先端側の端を囲む円環状をなすとともに、端子保持部６１の長手方向と直交する平面状をなしている。また、図２及び図４（ａ）に示すように、固定挿入部６５における端子保持部６１の軸方向の長さ（即ち固定当接面６６と端子保持部６１の基端面との間の長さ）は、基部３２における固定孔３４の外周の厚さと等しい。尚、図４（ａ）及び図４（ｂ）に示すように、一対の貫通孔６２は、固定挿入部６５の外径の範囲内に形成されている。
【００３０】
端子保持部６１及び給電ターミナル５１をブラシホルダ３１に組み付ける際には、まず、図５に示すように、端子保持部６１の基端部に設けられた固定挿入部６５を、基部３２の外側面３２ｂ（ポンプハウジングＰａと隣り合う面）側から固定孔３４に嵌入する。更に、図６に示すように、固定当接面６６を、外側面３２ｂ側で基部３２における固定孔３４の外周に当接させる。これにより、端子保持部６１は、基部３２の厚さ方向（端子保持部６１の長手方向と同方向）に同基部３２から突出した状態となる。その後、図７（ａ）に示すように、基部３２の内側面３２ａ側から一対の給電ターミナル５１の給電部５３を一対の貫通孔６２に挿入する。このとき、給電ターミナル５１は、給電部５３の先端部が貫通孔６２における端子保持部６１の基端側の開口部から同貫通孔６２内に挿入される。更に、給電ターミナル５１は、固定孔３４の外周で当接部５２が基部３２の内側面３２ａに当接するまで貫通孔６２に給電部５３が挿入される。即ち、給電ターミナル５１は、固定孔３４を通ってブラシホルダ３１を貫通するとともに、ブラシホルダ３１からの端子保持部６１の突出方向Ｄ１に貫通孔６２を貫通する。そして、当接部５２が固定孔３４の外周で基部３２の内側面３２ａに当接すると、ターミナル側係合部５４が保持部側係合部６３にスナップフィット係合する。詳しくは、図７（ｂ）に示すように、ターミナル側係合部５４は、端子保持部６１の先端側から保持部側係合部６３の係合面６３ａに当接することにより、ブラシホルダ３１からの端子保持部６１の突出方向Ｄ１（本実施形態ではモータ１０の軸方向と同方向）に保持部側係合部６３に係合している。このようにして、端子保持部６１及び一対の給電ターミナル５１がブラシホルダ３１に対して固定されている。
【００３１】
端子保持部６１の突出方向Ｄ１にターミナル側係合部５４が保持部側係合部６３に係合した状態においては、端子保持部６１の固定当接面６６と給電ターミナル５１の当接部５２との間にブラシホルダ３１（基部３２）における固定孔３４の外周の一部が介在されている。そして、当接部５２と端子保持部６１とが、ブラシホルダ３１（基部３２）における固定孔３４の外周を挟持している。更に、同状態においては、端子保持部６１は、端子保持部６１の基端部（端子保持部６１における係合面６３ａよりも基端側の部分）とブラシホルダ３１における固定孔３４の外周とが当接部５２とターミナル側係合部５４とによって挟み込まれることによりブラシホルダ３１に一体的に固定されている。また、同状態においては、図７（ａ）に示すように、給電部５３の先端部が、貫通孔６２における端子保持部６１の先端側の開口部から端子保持部６１の外部に突出している。そして、端子保持部６１は、一対の貫通孔６２に挿入された一対の給電ターミナル５１を互いに絶縁した状態で保持している。また、図１（ａ）に示すように、モータ１０においては、給電ターミナル５１及び端子保持部６１がポンプハウジングＰａを端子保持部６１の突出方向Ｄ１（本実施形態ではモータ１０の軸方向と同方向）に貫通する。
【００３２】
図１（ｂ）に示すように、各給電ターミナル５１の当接部５２には、各給電ターミナル５１に対応する給電ブラシ４１から延びるピッグテール４３の他端部が溶接等により電気的に接続されている。また、図１（ａ）に示すように、各給電ターミナル５１の給電部５３の先端部には、モータ１０に給電する電源装置が接続される。
【００３３】
次に、本実施形態のモータの作用について説明する。
一対の給電ターミナル５１に供給された電流は、ピッグテール４３を介して給電ブラシ４１に供給され、更に、給電ブラシ４１から整流子２４を介して巻線２３に供給される。すると、電機子１２が回転する。そして、電機子１２の回転、即ち回転軸２１の回転がポンプＰに出力されてポンプＰが駆動される。
【００３４】
また、モータ１０においては、端子保持部６１はブラシホルダ３１と別体で形成されている。そして、端子保持部６１は、固定挿入部６５が固定孔３４に挿入され、該端子保持部６１の基端部（端子保持部６１における係合面６３ａよりも基端側の部分）とブラシホルダ３１における固定孔３４の外周とが当接部５２とターミナル側係合部５４とによって挟み込まれることによりブラシホルダ３１に一体的に固定されている。従って、ブラシホルダ３１から部分的に長く突出した形状となる端子保持部６１がブラシホルダ３１に一体成形されないため、ブラシホルダ３１に対して端子保持部６１が傾倒した状態で形成されることが抑制される。
【００３５】
また、給電ターミナル５１の当接部５２は、固定孔３４の外周で基部３２の内側面３２ａに当接している。即ち、当接部５２は、ポンプハウジングＰａと反対側からブラシホルダ３１に当接している。従って、当接部５２によって給電ターミナル５１のブラシホルダ３１に対する傾倒が抑制されている。
【００３６】
また、端子保持部６１の固定当接面６６は、端子保持部６１の突出方向Ｄ１と反対方向から基部３２の外側面３２ｂ（基部３２におけるポンプハウジングＰａと隣り合う面）に当接している。そのため、当接部５２と端子保持部６１とが、ブラシホルダ３１における固定孔３４の外周を挟持している。従って、端子保持部６１のブラシホルダ３１に対する傾倒が抑制されている。
【００３７】
上記したように、本実施形態によれば、以下の効果を有する。
（１）端子保持部６１はブラシホルダ３１と別体で形成されている。そして、端子保持部６１は、その基端部に設けられた固定挿入部６５を固定孔３４に挿入して固定することによりブラシホルダ３１に一体化される。従って、ブラシホルダ３１から部分的に長く突出した形状となる端子保持部６１がブラシホルダ３１に一体成形されないため、ブラシホルダ３１に対して端子保持部６１が傾倒した状態で形成されることが抑制される。その結果、ブラシホルダ３１に固定された端子保持部６１の先端の位置精度を向上させることができる。そして、端子保持部６１にて保持される一対の給電ターミナル５１の給電部５３の先端の位置精度を向上させることができる。また、従来のようにブラシホルダ３１に端子保持部６１が一体成形される場合に比べて、ブラシホルダ３１及び端子保持部６１の歩留まりが低くなることを抑制できる。
【００３８】
（２）ブラシホルダ３１からの端子保持部６１の突出方向Ｄ１にターミナル側係合部５４が保持部側係合部６３に係合することにより、端子保持部６１と給電ターミナル５１とが、ブラシホルダ３１からの端子保持部６１の突出方向Ｄ１に係合される。更に、端子保持部６１の貫通孔６２を貫通する給電ターミナル５１が有する当接部５２が、ポンプハウジングＰａと反対側からブラシホルダ３１の基部３２に当接する。従って、当接部５２によって給電ターミナル５１のブラシホルダ３１に対する傾倒が抑制されるため、当該給電ターミナル５１を保持した端子保持部６１のブラシホルダ３１に対する傾倒も抑制される。よって、ブラシホルダ３１に固定された端子保持部６１の先端の位置精度をより向上させることができる。
【００３９】
（３）基端部に設けられた固定挿入部６５が固定孔３４に挿入された端子保持部６１と、同端子保持部６１にて保持された給電ターミナル５１の当接部５２とが、ブラシホルダ３１における固定孔３４の外周を挟持している。従って、端子保持部６１のブラシホルダ３１に対する傾倒が更に抑制される。よって、ブラシホルダ３１に固定された端子保持部６１の先端の位置精度を更に向上させることができる。
【００４０】
（４）ターミナル側係合部５４は、保持部側係合部６３にスナップフィット係合する。従って、端子保持部６１及び給電ターミナル５１をブラシホルダ３１に組み付ける際に、ターミナル側係合部５４を保持部側係合部６３に容易に係合することができる。
【００４１】
（５）端子保持部６１は、端子保持部６１の基端部（端子保持部６１における係合面６３ａよりも基端側の部分）とブラシホルダ３１における固定孔３４の外周とが当接部５２とターミナル側係合部５４とによって挟み込まれることによりブラシホルダ３１に一体的に固定されている。このように、端子保持部６１とブラシホルダ３１とを給電ターミナル５１によって一体化することができる。従って、ブラシホルダ３１と端子保持部６１とが別体で構成されていても、ブラシホルダ３１と端子保持部６１とを一体化するための専用の部品を別途設けなくてもよい。従って、部品点数の増加及び組付け工数の増伽を抑制することができる。
【００４２】
（６）給電ターミナル５１の当接部５２は、ブラシホルダ３１に対する端子保持部６１の突出方向Ｄ１から基部３２の内側面３２ａ（基部３２におけるポンプハウジングＰａと反対側の面）に当接している。また、端子保持部６１の固定当接面６６は、端子保持部６１の突出方向Ｄ１と反対方向から基部３２の外側面３２ｂ（基部３２におけるポンプハウジングＰａと隣り合う面）に当接している。そして、当接部５２と端子保持部６１とが、ブラシホルダ３１における固定孔３４の外周を挟持している。従って、ブラシホルダ３１と端子保持部６１とが別体で構成されていても、ブラシホルダ３１に固定された端子保持部６１は、ブラシホルダ３１に対して傾倒することが抑制されている。
【００４３】
尚、上記実施形態は、以下のように変更してもよい。
・上記実施形態では、ターミナル側係合部５４は、保持部側係合部６３にスナップフィット係合する。しかしながら、ターミナル側係合部５４と保持部側係合部６３とは、ブラシホルダ３１からの端子保持部６１の突出方向Ｄ１に係合するのであれば、必ずしもスナップフィット係合しなくてもよい。例えば、保持部側係合部６３を、貫通孔６２（若しくは貫通孔６２の一部）とし、ターミナル側係合部５４を、貫通孔６２（若しくは貫通孔６２の一部）に圧入される圧入部としてもよい。この場合には、ターミナル側係合部５４は、保持部側係合部６３に圧入により突出方向Ｄ１に係合される。このようにしても、ターミナル側係合部５４を保持部側係合部６３に容易に係合することができる。また、保持部側係合部６３を、貫通孔６２の内周面に形成された突起状の係合突起とし、ターミナル側係合部５４を、係合突起が係合する係合穴としてもよい。この場合には、ターミナル側係合部５４は、保持部側係合部６３に突出方向Ｄ１に凹凸係合する。このようにしても、ターミナル側係合部５４を保持部側係合部６３に容易に係合することができる。
【００４４】
・上記実施形態では、端子保持部６１は、給電ターミナル５１によってブラシホルダ３１に一体化されている。しかしながら、ブラシホルダ３１と端子保持部６１とは、必ずしも給電ターミナル５１によって一体化されなくてもよい。例えば、ブラシホルダ３１に設けられる端子保持部６１を固定するための固定部に、端子保持部６１の基端部を接着若しくは溶着によって固定してもよい。また、ブラシホルダ３１と端子保持部６１とを固定するための部品を別途設けてもよい。この場合には、当接部５２と端子保持部６１とは、ブラシホルダ３１における固定孔３４の外周を必ずしも挟持しなくてもよい。更に、当接部５２は、必ずしも基部３２の内側面３２ａに当接しなくてもよい。また、給電ターミナル５１は、必ずしも当接部５２を備えなくてもよい。
【００４５】
・上記実施形態では、ブラシホルダ３１は、端子保持部６１の基端部が固定される固定部として固定孔３４を有する。しかしながら、ブラシホルダ３１が有する固定部の形状はこれに限らない。例えば、固定部は、端子保持部６１の突出方向Ｄ１と反対方向に凹設され、固定挿入部６５が圧入される凹部であってもよい。また、固定部は、基部３２の外側面３２ｂから突出した固定突起であってもよい。この場合、端子保持部６１の基端部に当該固定突起が圧入される固定凹部が設けられる。
【００４６】
・給電ターミナル５１は、必ずしもターミナル側係合部５４を備えなくてもよい。また、給電ターミナル５１は、ブラシホルダ３１に当接する当接部５２を必ずしも備えなくてもよい。更に、端子保持部６１は、必ずしも保持部側係合部６３を備えなくてもよい。
【００４７】
・給電ターミナル５１は、ブラシホルダ３１及び端子保持部６１の何れか一方に一体成形されてもよい。
・上記実施形態では、モータ１０は一対（２つ）の給電ブラシ４１を備えている。しかしながら、モータ１０に備えられる給電ブラシ４１の数はこれに限らず、３つ以上であってもよい。この場合、給電ブラシ４１の数に応じて給電ターミナル５１の数を変更してもよい。
【００４８】
・上記実施形態では、モータ１０は、ポンプ装置の駆動源として用いられている。しかしながら、モータ１０は、ポンプ装置以外の装置の駆動源として用いられてもよい。この場合、給電ターミナル５１は、ポンプハウジングＰａに代えてブラシホルダ３１と隣接して配置されるハウジングを貫通する。そして、回転軸２１は必ずしも偏心軸部２１ａを備えなくてもよい。
【００４９】
上記実施形態及び上記各変更例から把握できる技術的思想を以下に記載する。
（イ）請求項２乃至請求項４の何れか１項に記載のモータにおいて、前記端子保持部は、前記端子保持部の基端部と前記ブラシホルダにおける前記固定孔の外周とが前記当接部と前記ターミナル側係合部とによって挟み込まれることにより前記ブラシホルダに一体的に固定されていることを特徴とするモータ。この構成によれば、端子保持部とブラシホルダとを給電ターミナルによって一体化することができる。従って、ブラシホルダと端子保持部とが別体で構成されていても、ブラシホルダと端子保持部とを一体化するための専用の部品を別途設けなくてもよい。従って、部品点数の増加及び組付け工数の増伽を抑制することができる。
【００５０】
（ロ）請求項２又は請求項３に記載のモータにおいて、前記保持部側係合部は、前記貫通孔であり、前記ターミナル側係合部は、前記貫通孔に圧入される圧入部であることを特徴とするモータ。この構成によれば、ターミナル側係合部を保持部側係合部に容易に係合することができる。
【００５１】
（ハ）請求項２又は請求項３に記載のモータにおいて、前記保持部側係合部は、前記貫通孔の内周面に形成された突起状の係合突起であり、前記ターミナル側係合部は、前記係合突起が係合する係合穴であることを特徴とするモータ。この構成によれば、ターミナル側係合部を保持部側係合部に容易に係合することができる。
【符号の説明】
【００５２】
３１…ブラシホルダ、３４…固定部としての固定孔、４１…給電ブラシ、５１…給電ターミナル、５２…当接部、５４…ターミナル側係合部、６１…端子保持部、６２…貫通孔、６３…保持部側係合部、Ｄ１…突出方向、Ｐａ…ハウジングとしてのポンプハウジング。
【図１】
2015027206.tif 000003
【図２】
2015027206.tif 000004
【図３】
2015027206.tif 000005
【図４】
2015027206.tif 000006
【図５】
2015027206.tif 000007
【図６】
2015027206.tif 000008
【図７】
2015027206.tif 000009